(57)【要約】【課題】運転者の目の位置からミラーまでの距離が離れており両側のミラーに視線を向けるときに視線が振れる角度（水平角度）が狭く安全性が高いというフェンダミラーの特性を生かし、デザイン性や生産性の向上及び衝突の回避が図られた自動車用フェンダミラーを提供する。【解決手段】前輪１０１を覆うフェンダ１０２の一部として形成され後端部が開口部１となされて外方側へ膨出された膨出部２と、この膨出部２内に収納され開口部１から後方側に臨むミラー３とから構成する。【選択図】図１
2008024308.tif 000002
【特許請求の範囲】
【請求項１】
前輪を覆うフェンダの一部として形成され、後端部が開口部となされて外方側へ膨出された膨出部と、
前記膨出部内に収納され、前記開口部から後方側に臨むミラーと
からなることを特徴とする自動車用フェンダミラー。
【請求項２】
前記ミラーは、前記前輪の後縁部よりも前方に位置している
ことを特徴とする請求項１記載の自動車用フェンダミラー。
【発明の詳細な説明】
【技術分野】
【０００１】
本発明は、運転者の目の位置からの距離が長く、視線を左右に振る角度が小さい状態で後方確認が可能な自動車用フェンダミラーに関する。
【背景技術】
【０００２】
自動車においては、運転者が左右両側の後方を確認するため、サイドミラーが設けられている。このサイドミラーとしては、前側ドアの前端部近傍に設けられた、いわゆるドアミラーと、前輪を覆うフェンダの上部に設けられた、いわゆるフェンダミラーとが知られている。
【０００３】
従来、わが国においては、乗用車の保安基準においてドアミラーが認可されていなかったため、わが国内における走行を目的として生産される乗用車の全てにおいてフェンダミラーが設けられていた。その後、ドアミラーが認可されたことに伴い、わが国において生産される乗用車の大部分においてドアミラーが設けらるようになった。このように、ドアミラーが普及した理由は、デザイン上の要求、生産性の向上、及び、衝突の回避のためであると思われる。衝突の回避とは、フェンダミラーは車体から支持ステー等を介して突出して設けられているために車体の付近を歩行する歩行者等が接触し易いため、このような接触を回避するということである。
【０００４】
一方、フェンダミラーにおける衝突の回避を図るための提案として、特許文献１及び特許文献２には、必要に応じてフェンダ内に収納できるようにしたフェンダミラーが記載されている。
【０００５】
また、フェンダミラーにおけるデザイン性や生産性を向上するための提案として、特許文献３には、フェンダ外側部に取付けられるオーバーフェンダ上に取付けるようにしたフェンダミラーが記載されている。
【０００６】
【特許文献１】特開平０６−２７８５３５号公報
【特許文献２】特開平１０−２９１４４０号公報
【特許文献３】特開平１１−１１５６３２号公報
【発明の開示】
【発明が解決しようとする課題】
【０００７】
従来、乗用車の保安基準においてドアミラーが認可されていなかった理由は、ドアミラーよりもフェンダミラーのほうが安全性が高いからであった。すなわち、フェンダミラーにおいては、運転者の目の位置からミラーまでの距離が離れているので、両側のミラーに視線を向けるときに視線が振れる角度（水平角度）がドアミラーに比較して狭いため、左右後方の確認時に前方視界が失われる時間が短く、安全性が高いのである。
【０００８】
前述したように、現在ではドアミラーが設けられた乗用車が大多数を占めているのであるが、フェンダミラーのほうが安全性が高いという点に着目して、フェンダミラーが設けられた自動車の生産に対する要望があるのも事実である。
【０００９】
特許文献１及び特許文献２に記載されたフェンダミラーにおいては、衝突の回避は図られているものの、デザイン性や生産性を向上させることはできないという問題がある。
【００１０】
特許文献３に記載されたフェンダミラーにおいては、デザイン性や生産性の向上は図られているものの、衝突の回避を図ることはできないという問題がある。
【００１１】
そこで、本発明は、上述の課題に鑑みて提案されるものであって、運転者の目の位置からミラーまでの距離が離れており、両側のミラーに視線を向けるときに視線が振れる角度（水平角度）が狭く、安全性が高いというフェンダミラーの特性を生かしつつ、デザイン性や生産性の向上及び衝突の回避が図られた自動車用フェンダミラーを提供することを目的とするものである。
【課題を解決するための手段】
【００１２】
前述の課題を解決するため、本発明に係る自動車用フェンダミラーは、以下の構成を有するものである。
【００１３】
〔構成１〕
前輪を覆うフェンダの一部として形成され後端部が開口部となされて外方側へ膨出された膨出部と、この膨出部内に収納され開口部から後方側に臨むミラーとからなることを特徴とするものである。
【００１４】
〔構成２〕
構成１を有する自動車用フェンダミラーにおいて、ミラーは、前輪の後縁部よりも前方に位置していることを特徴とするものである。
【発明の効果】
【００１５】
構成１を有する本発明に係る自動車用フェンダミラーは、前輪を覆うフェンダの一部として形成され後端部が開口部となされて外方側へ膨出された膨出部と、この膨出部内に収納され開口部から後方側に臨むミラーとからなるので、運転者の目の位置からミラーまでの距離が離れており、両側のミラーに視線を向けるときに視線が振れる角度（水平角度）が狭く、安全性が高いというフェンダミラーの特性を生かしつつ、デザイン性や生産性の向上及び衝突の回避が図られる。
【００１６】
構成２を有する本発明に係る自動車用フェンダミラーにおいては、ミラーは、前輪の後縁部よりも前方に位置しているので、運転者の目の位置からミラーまでの距離が離れており、両側のミラーに視線を向けるときに視線が振れる角度（水平角度）が狭く、安全性が高い。
【００１７】
すなわち、本発明は、運転者の目の位置からミラーまでの距離が離れており、両側のミラーに視線を向けるときに視線が振れる角度（水平角度）が狭く、安全性が高いというフェンダミラーの特性を生かしつつ、デザイン性や生産性の向上及び衝突の回避が図られた自動車用フェンダミラーを提供することができるものである。
【発明を実施するための最良の形態】
【００１８】
以下、本発明を実施するための最良の形態について、図面を参照して詳細に説明する。
【００１９】
図１は、本発明に係る自動車用フェンダミラーの構成を示す斜視図である。
【００２０】
本発明に係る自動車用フェンダミラーは、乗用車等の自動車に設けられ、自動車の運転席において、左右後方の状態をミラーにより反射させて確認するためのものであり、図１に示すように、前輪１０１を覆うフェンダ１０２の一部として形成され、後端部が開口部１となされて外方側（上方側）へ膨出された膨出部２と、この膨出部２内に収納され開口部１から後方側に臨むミラー３とから構成されている。
【００２１】
この自動車用フェンダミラーは、自動車において、左右のフェンダ１０２，１０２にそれぞれに、左右対称の構成を有して設けられる。ただし、この自動車用フェンダミラーは、必ず左右のフェンダ１０２，１０２に設けなければならないものではなく、必要に応じて、左右のフェンダ１０２，１０２のいずれか一方のみに設けてもよい。
【００２２】
フェンダ１０２は、鋼板、あるいは、合成樹脂材料、合成樹脂材料及びグラスファイバ等からなる複合材料などによって形成されている。
【００２３】
膨出部２は、フェンダ１０２の形成時において、このフェンダ１０２と一体的に形成されている。開口部１は、車体後方に向けて開口されており、この自動車用フェンダミラーが設けられる自動車の運転席に向けて開口されている。
【００２４】
ミラー３は、膨出部２内に収納されて設置され、開口部１を介して、この自動車用フェンダミラーが設けられる自動車の運転席に向けて後方側に望んでいる。このミラー３は、僅かな曲率を有する凸面鏡であり、主面の方向を調整可能に支持されている。なお、このミラー３は、図示しない駆動装置によって主面の方向が調整されるようにしてもよい。
【００２５】
図２は、本発明に係る自動車用フェンダミラーの構成を示す側面図である。
【００２６】
ミラー３は、図２に示すように、前輪１０１の後縁部１０１ａよりも前方に位置している。そのため、このミラー３は、運転者の目の位置Ｅからの距離Ｄが、ドアミラーを用いた場合よりも、長い距離となる。
【００２７】
図３は、本発明に係る自動車用フェンダミラーの構成を示す平面図である。
【００２８】
この自動車用フェンダミラーにおいては、図３に示すように、運転者の目の位置Ｅからミラー３までの距離Ｄが離れており、両側のミラー３，３に視線を向けるときに視線が振れる角度（水平角度）θが狭いため、左右後方の確認時に前方視界が失われる時間が短く、高い安全性を確保することができる。
【００２９】
そして、この自動車用フェンダミラーにおいては、フェンダ１０２に一体化された膨出部２内に内蔵されて構成されているため、デザイン性や生産性の向上及び衝突の回避が図られている。
【００３０】
なお、本発明に係る自動車用フェンダミラーは、運転席の左右のサイドウィンドが左右のドア面よりも車体内方側に位置しているデザインの自動車に適用した場合には、膨出部２を車体の側方に食み出させる必要がなく、特に好適である。
【図面の簡単な説明】
【００３１】
【図１】本発明に係る自動車用フェンダミラーの構成を示す斜視図である。
【図２】本発明に係る自動車用フェンダミラーの構成を示す側面図である。
【図３】本発明に係る自動車用フェンダミラーの構成を示す平面図である。
【符号の説明】
【００３２】
１    開口部
２    膨出部
３    ミラー
１０１    前輪
１０１ａ  後縁部
１０２    フェンダ
Ｅ    目の位置
【図１】
2008024308.tif 000003
【図２】
2008024308.tif 000004
【図３】
2008024308.tif 000005